(57)【要約】【課題】電子機器の充電中に充電装置から電子機器に向けてユーザにとって有用な情報を提供する。【解決手段】充電装置１は、表示部を有する電子機器２と接続され、電子機器２に内蔵された二次電池２０を充電する。充電装置１は、電子機器２との間で通信して電子機器２から装置プロファイルを受信する第１通信制御部と、情報管理装置３と通信して情報管理装置３の更新データベース３０から装置プロファイルにバージョン情報が含まれるソフトウェアに関する更新データをダウンロードする第２通信制御部とを備える。また、充電装置１は、情報管理装置３の更新データベース３０からダウンロードした更新データに基づいて、電子機器２の表示部に更新画面を表示するための表示画面情報を生成し、第１通信制御部を介して、更新画面の表示画面情報を電子機器２へ送信する。【選択図】図１
2013172465.tif 000002
【特許請求の範囲】
【請求項１】
表示装置を有する電子機器と接続され、前記電子機器に内蔵された二次電池を充電する充電装置であって、
前記電子機器と通信して、前記電子機器に関する第１の情報を前記電子機器から受信する第１の通信手段と、
外部データベースと通信して、前記第１の情報に基づき第２の情報を前記外部データベースからダウンロードする第２の通信手段と、
前記第２の情報に基づいて、前記電子機器の表示装置用の表示画面情報を生成する画面情報生成手段と、
を備え、
前記第１の通信手段は、前記表示画面情報を前記電子機器へ送信することを特徴とする充電装置。
【請求項２】
請求項１に記載の充電装置において、
前記第２の通信手段は、前記電子機器の二次電池の充電中に、前記第２の情報をダウンロードし、
前記画面情報生成手段は、前記電子機器の二次電池の充電中に、前記第２の通信手段がダウンロードした前記第２の情報に基づいて前記表示画面情報を生成し、
前記第１の通信手段は、前記電子機器の二次電池の充電中に、前記画面情報生成手段が生成した前記表示画面情報を前記電子機器へ送信することを特徴とする充電装置。
【請求項３】
請求項１または２に記載の充電装置において、
前記第１の情報は、前記電子機器にインストールされているソフトウェアの更新状態に関する情報を含み、
前記第２の通信手段は、前記第１の通信手段により受信した前記ソフトウェアの更新状態に基づき前記ソフトウェアの更新用の更新データを前記第２の情報として前記外部データベースからダウンロードし、
前記画面情報生成手段は、前記更新データに基づいて、前記ソフトウェアの更新を実施するか否かをユーザに選択させるための選択画面情報を前記表示画面情報として生成し、
前記第１の通信手段は、前記電子機器の表示装置に表示された前記選択画面を介してユーザが前記ソフトウェアの更新を行うことを選択したとき、前記電子機器に前記更新データを送信することを特徴とする充電装置。
【請求項４】
請求項１から３のいずれか一項に記載の充電装置において、
前記第１の情報は前記電子機器の二次電池の充電を開始する前の前記電子機器の二次電池の充電状態に関する第１の充電状態情報を含み、
前記充電装置は、
前記第１の充電状態情報に基づいて、前記電子機器の二次電池の充電が終了したときの前記電子機器の二次電池の充電状態に関する第２の充電状態情報を生成する充電状態情報生成手段と、
前記第２の充電状態情報に基づいて、前記電子機器の表示装置用の第２の表示画面情報を生成する第２の画面情報生成手段と、
をさらに備え、
前記第１の通信手段は、前記電子機器の二次電池の充電が終了したときに、前記第２の表示画面情報と前記第２の充電状態情報とを前記電子機器へさらに送信することを特徴とする充電装置。
【請求項５】
請求項１から４のいずれか一項に記載の充電装置において、
前記電子機器を載置可能な充電台と、
前記充電台に載置された前記電子機器の二次電池を非接触充電する非接触充電手段と、
をさらに備え、
前記第１の通信手段は、前記電子機器との間で無線データ通信を行うことを特徴とする充電装置。
【発明の詳細な説明】
【技術分野】
【０００１】
本発明は充電装置に関する。
【背景技術】
【０００２】
二次電池を備えた電子機器と無線通信手段によって電子機器のＩＤ情報を取得し、取得したＩＤ情報に対応する充電条件で非接触充電する非接触充電装置が知られている（たとえば、特許文献１）。
【先行技術文献】
【特許文献】
【０００３】
【特許文献１】特開２００９−２１３２９５号公報
【発明の概要】
【発明が解決しようとする課題】
【０００４】
本発明は、充電装置による電子機器の充電中に充電装置から電子機器に向けて有用な情報を提供することを目的とする。
【課題を解決するための手段】
【０００５】
本発明による充電装置は、表示装置を有する電子機器と接続され、電子機器に内蔵された二次電池を充電する充電装置であって、電子機器と通信して、電子機器に関する第１の情報を電子機器から受信する第１の通信手段と、外部データベースと通信して、第１の情報に基づき第２の情報を外部データベースからダウンロードする第２の通信手段と、第２の情報に基づいて、電子機器の表示装置用の表示画面情報を生成する画面情報生成手段と、を備え、第１の通信手段は、表示画面情報を電子機器へ送信することを特徴とする。
【発明の効果】
【０００６】
本発明によれば、充電装置による電子機器の充電中に充電装置から電子機器に向けて有用な情報を提供することができる。
【図面の簡単な説明】
【０００７】
【図１】本発明の一実施の形態による充電装置を備える充電システムのブロック図である。
【図２】本発明の一実施の形態による充電装置のブロック図である。
【図３】電子機器の一構成例を示す図である。
【図４】電子機器がスタンバイ状態に移行するときに実行する処理に関するフローチャートの一例である。
【図５】スタンバイ状態となった電子機器が実行する処理に関するフローチャートの一例である。
【図６】本発明の一実施の形態による充電装置が生成した表示画面情報に基づいて、電子機器がその表示部に表示する画面の一例である。
【図７】電子機器が電源オン状態となったときに実行する処理に関するフローチャートの一例である。
【図８】本発明の一実施の形態による充電装置に電子機器が載置されたときに充電装置が実行するフローチャートの一例である。
【図９】本発明の一実施の形態による充電装置が実行する充電処理に関するフローチャートの一例である。
【図１０】本発明の一実施の形態による充電装置が実行する更新処理に関するフローチャートの一例である。
【図１１】本発明の一実施の形態による充電装置が生成した表示画面情報に基づいて、電子機器がその表示部に表示する画面の一例である。
【発明を実施するための形態】
【０００８】
図１は、本発明の一実施の形態による充電装置を含む充電システムに関するブロック図である。図１に例示される充電システム５は、充電装置１と、その充電装置１によって充電される電子機器２と、充電装置１と電気通信回線（インターネットなど）４を介して接続する情報管理装置３とを備える。
【０００９】
充電装置１は、充電台１０を有し、充電台１０の上に載置される電子機器２を電磁誘導方式により非接触充電する。電子機器２は、デジタルカメラや携帯電話、携帯オーディオ装置であって、充電可能な二次電池２０を有する。充電台１０には電子機器２の載置を検出するセンサが装着されている。
【００１０】
充電装置１は充電台１０の下に送電コイル１１を有し、電子機器２は受電コイル２１を有する。充電台１０に載置された電子機器２の受電コイル２１は、送電コイル１１の上に配置される。送電コイル１１に電流が流されると、磁束が発生して、その磁束を媒介して受電コイル２１に起電力が発生する。二次電池２０は、受電コイル２１で発生した起電力により充電される。
【００１１】
情報管理装置３は、電子機器メーカのホームページ等からアクセスするサーバ等であって、更新データベース３０などのデータベースを備える。更新データベース３０は、電子機器２にインストールされているソフトウェアを更新（アップグレード、バージョンアップ）するための更新データが記憶されている。更新データとは、ソフトウェアを更新するためのデータ（修正プログラム等）のほか、その更新により追加、拡張または修正される機能などを説明するためのデータ（テキストデータ等）を含む。
【００１２】
図２は、充電装置１のブロック構成図である。図２に例示された充電装置１は、送電コイル１１と送電器１２と充電制御部１３と第１通信制御部１４と第２通信制御部１５とシステム制御部１６とを備える。
【００１３】
送電器１２は、送電コイル１１に交流電流を出力する。充電制御部１３は、送電器１２から出力される交流電流の振幅を制御する。第１通信制御部１４は、電子機器２とＢｌｕｅｔｏｏｔｈ（登録商標）、ＮＦＣ(登録商標)、ＴｒａｎｓｆｅｒＪｅｔ（登録商標）、Ｚｉｇｂｅｅ（登録商標）などの近距離無線方式の通信を行う。第２通信制御部１５は、電気通信回線４に接続し、図１の情報管理装置３から各種データをダウンロードする。システム制御部１６は、ＣＰＵ、ＲＡＭ、ＲＯＭなどを備え、充電装置１の各部を制御する。システム制御部１６のＲＯＭには、充電装置１の型式など、充電装置１を識別するための情報が記憶されている。
【００１４】
図３は、電子機器２のブロック構成図である。電子機器２は、二次電池２０と受電コイル２１と整流器２２と充電制御部２３と記憶部２４と通信制御部２５とシステム制御部２６と表示部２７と操作部２８とを備える。
【００１５】
二次電池２０は、電子機器２の各部に電力を供給する。受電コイル２１では、送電コイル１１にて発生した磁束の変化に応じた起電力が生じる。受電コイル２１で生じた起電力による誘導電流は、整流器２２に出力される。整流器２２は、受電コイル２０から出力される誘電電流を整流し、充電制御部２３に二次電池２０を充電するための電流を出力する。この充電制御部２３に出力される充電用の電流が一定となるように、充電装置１の充電制御部１３は送電器１２の出力交流電流の振幅を制御している。充電制御部２３は、ＣＰＵやＲＡＭなどを有する。充電制御部２３は、整流器２２から出力された誘導電流を用いて二次電池２０を充電する。充電制御部２３は、二次電池２０の残存電池容量などを検出しており、その情報を記憶部２４に記憶している。
【００１６】
記憶部２４は、二次電池２０の残存電池容量、満充電時の電池容量、充電回数、充電終了日時、二次電池２０の電池種別などの情報（以降、電池情報と称する）を記憶している。また、記憶部２４には、電子機器２の制御プログラムなどのソフトウェアと、そのソフトウェアのバージョン情報などが記憶されている。以降、二次電池２０の電池情報とソフトウェアのバージョン情報とを装置プロファイルと称する。また、記憶部２４には、充電装置１から送信された各種表示画面情報が記憶されている。
【００１７】
通信制御部２５は、充電装置１の第１通信制御部１４とＢｌｕｅｔｏｏｔｈなどの近距離無線方式の通信を行う。システム制御部２６は、ＣＰＵやＲＡＭなどを有し、記憶部２５に記憶されたファームウェアを実行し、電子機器２の各部の制御を行う。表示部２７は、液晶式の表示モニタ等であって、システム制御部２６の制御に従い、様々な画面表示を行う。操作部２８は、電源スイッチや、その他のスイッチ、タッチパネル、キーボードなどであって、ユーザが行う電子機器２に対する各種操作を受け付ける。
【００１８】
電子機器２は、電源オン状態と、スタンバイ状態と、電源オフ状態という三つの状態を有する。スタンバイ状態は、二次電池２０の充電を行うための電子機器２の状態である。スタンバイ状態では、充電処理等に必要な部位以外には二次電池２０からの電力が供給されない。
【００１９】
図４は、電子機器２がスタンバイ状態に移行するときに行う動作に関するフローチャートである。ステップＳ１００では、システム制御部２６の制御を受けて充電制御部２３が二次電池２０の残存電池容量を検出する。ステップＳ１０１では、システム制御部２６の制御を受けて充電制御部２３がステップＳ１００で検出した残存電池容量を記憶部２４に記憶する。ステップＳ１０１の後、電子機器２はスタンバイ状態へと移行する。
【００２０】
図５は、電子機器２がスタンバイ状態となったときに行う動作に関するフローチャートである。ステップＳ２００では、システム制御部２６の制御を受けて通信制御部２５が記憶部２４から装置プロファイルを読み出す。ステップＳ２０１では、システム制御部２６の制御を受けて通信制御部２５がステップＳ２００で読み出した装置プロファイルを充電装置１へ送信する。ステップＳ２０２では、システム制御部２６の制御を受けて充電制御部２３が整流器２２から入力される電流を用いて二次電池２０の充電処理を行う。
【００２１】
充電処理が終了した後、ステップＳ２０３では、システム制御部２６の制御を受けて通信制御部２５は、最新の電池情報と、表示部２７に二次電池２０の充電に関する充電情報画面を表示するための表示画面情報とを充電装置１から受信する。ステップＳ２０４では、システム制御部２６の制御を受けて通信制御部２５は、ステップＳ２０３で受信した最新の電池情報を記憶部２４に記憶し、装置プロファイルを更新する。ステップＳ２０５では、システム制御部２６の制御を受けて通信制御部２５がステップＳ２０３で受信した表示画面情報を記憶部２４に記憶し、システム制御部２６が記憶部２４に記憶された表示画面情報に基づいて表示部２７に充電情報画面を表示する。
【００２２】
図６は、表示部２７に表示される充電情報画面の一例である。図６に例示される充電情報画面には、充電装置表示３１と充電終了日時３２と充電時間表示３３と充電回数表示３４と電池容量表示３５とが含まれる。
【００２３】
充電装置表示３１には、電子機器２の二次電池２０を前回充電した充電装置を識別するための情報が表示される。図６では、充電装置表示３１の表示例として、「Ｎ社製  ○○―５００」という文字列が表示されている。なお、充電装置表示３１には、文字列だけでなく、各種標章などの画像を表示することにしてもよい。
【００２４】
充電終了日時表示３２には、電子機器２の二次電池２０を前回充電したときの終了日時が表示される。図６では、充電終了日時表示３２の表示例として、「１１月１１日１１時１１分」という文字列が表示されている。なお、充電終了日時表示３２では、文字列の代わりに各種時計画像などを表示することにしてもよい。
【００２５】
充電時間表示３３には、電子機器２の二次電池２０を前回充電したときの充電時間が表示される。図６では、充電時間表示３３の表示例として、「２時間１５分」という文字列が表示されている。
【００２６】
充電回数表示３４には、電子機器２の二次電池２０を充電した回数が表示される。図６では、充電回数表示３４の表示例として、「７７回」という文字列が表示されている。
【００２７】
電池容量表示３５には、充電終了時における電子機器２の二次電池２０の電池容量が表示される。図６の電池容量表示３５では、満充電の電池容量を１００％とした場合における充電終了時の電池容量が「７０％」という百分率で表示されているとともに、その百分率を表す棒グラフ３６が表示されている。
【００２８】
図７は、電子機器２が電源オン状態となったときに電子機器２が行う動作に関するフローチャートである。ステップＳ３００では、システム制御部２６が記憶部２４から電池情報を読み出す。ステップＳ３０１では、システム制御部２６がステップＳ３００で読み込んだ電池情報が更新されたか否かを判定する。たとえば、システム制御部２６は、現在日時と電池情報に含まれる充電日時とを比較し、充電日時から所定時間（たとえば、１時間）以上の時間が経過している場合ステップＳ３０１を否定判定し、充電日時から所定時間経過していない場合はステップＳ３０１を肯定判定する。ステップＳ３０１が肯定判定された場合はステップＳ３０２に進み、否定判定された場合はステップＳ３１０に進む。
【００２９】
ステップＳ３０２では、システム制御部２６が図６に例示されるような充電情報画面を表示部２７に表示する。表示部２７に表示する充電情報画面の画面データは、図５のステップＳ２０５の処理を実行しているときに記憶部２４に記憶されている。
【００３０】
ステップＳ３０３では、システム制御部２６の制御を受けて充電制御部２３が電子機器２の二次電池２０の充電状態を確認する。たとえば、電子機器２の二次電池２０の充電直後に残存電池容量が所定量（たとえば、２０％）以上であるか否かを判定する。ステップＳ３０３が肯定判定された場合はステップＳ３０４に進み、否定判定された場合はステップＳ３１１に進み。
【００３１】
ステップＳ３０４およびステップＳ３１０では、システム制御部２６は、電子機器２の起動シーケンスを開始する。電子機器２の起動シーケンスの詳細については本発明と関係ないため省略する。ステップＳ３１１では、システム制御部２６が電子機器２を電源オフ状態へ移行する処理、すなわち図４の処理を開始する。
【００３２】
図８は、充電装置１の充電台１０に電子機器２が載置されたときに充電装置１のシステム制御部１６が実行する充電準備処理に関するフローチャートである。ステップＳ４００では、充電装置１のシステム制御部１６は、電子機器２がスタンバイ状態へ移行するように電子機器２を制御する。たとえば、システム制御部１６は、第１通信制御部１４を介して電子機器２をスタンバイ状態へ移行させるための制御信号を電子機器２へ送信する。制御信号を受信した電子機器２は、スタンバイ状態となり図５に示すフローチャートの実行を開始する。
【００３３】
ステップＳ４０１では、充電装置１のシステム制御部１６は、図５に例示されるフローチャートの処理を実行する電子機器がステップＳ２０１を実行した際に送信する装置プロファイルを受信する。ステップＳ４０２では、充電装置１のシステム制御部１６は、ステップＳ４０１で受信した装置プロファイルに含まれる電池情報に基づいて、電子機器２の二次電池２０の充電を開始する。たとえば、電池情報に含まれる残存電池容量や電池種別に基づいて送電器１２から出力する交流電流の振幅を変更する。充電装置１がステップＳ４０２の処理を開始したとき、電子機器２は図５のステップＳ２０２の処理を開始する。
【００３４】
ステップＳ４０３では、充電装置１のシステム制御部１６は、ステップＳ４０１で受信した装置プロファイルに含まれるソフトウェアのバージョン情報に基づいて、電子機器２にインストールされているソフトウェアを更新（アップグレード、バージョンアップ）する処理を開始する。
【００３５】
図９は、図８のステップＳ４０２でその処理を開始する電子機器２の二次電池２０の充電処理に関するフローチャートである。ステップＳ５００では、充電装置１のシステム制御部１６は、図８のステップＳ４０１で受信した装置プロファイルに含まれる電池情報を、充電装置１の充電制御部１３に送信し、充電制御部１３に送電器１２の出力制御を開始させる。以降、充電制御部１３は、送電器１２から出力する交流電流の振幅を制御することにより、整流器２２から出力される電流が一定となるように制御する。
【００３６】
ステップＳ５０１では、充電装置１のシステム制御部１６は、第１通信制御部１４を介して、図６に例示するような充電情報画面の表示画面情報を生成する。このとき生成される表示画面情報では、充電が終了していないため充電終了日時表示３２などの情報は省略される。また、充電時間表示３３には、実行中の充電時間を表示することにしてもよい。
【００３７】
ステップＳ５０２では、充電装置１のシステム制御部１６は、ステップＳ５０１で生成した表示画面情報を、第１通信制御部１４を介して電子機器２へ送信する。表示画面情報を受信した電子機器２（図５のステップＳ２０２の処理を実行中）は、通信制御部２５が表示画面情報を受信して、その表示画面情報を記憶部２４に記憶する。そして、システム制御部２６は、記憶部２４に記憶された表示画面情報に基づいて、表示部２７に図６のような画面を表示する。
【００３８】
ステップＳ５０３では、充電装置１のシステム制御部１６は、電子機器２の二次電池２０の充電を終了するか否かを判定する。たとえば、電子機器２の二次電池２０が満充電になったと推定されるときや、充電台１０から電子機器２が取り外されたとき、電子機器２の二次電池２０の充電が終了したものと判定する。充電装置１のシステム制御部１６は、ステップＳ５０３が肯定判定されたらステップＳ５０４に処理を進める。
【００３９】
ステップＳ５０４では、充電装置１のシステム制御部１６は、図８のステップＳ４０１で受信した電池情報に基づいて、ステップＳ５０３で充電が終了したと判定されたときの最新の電池情報を生成する。たとえば、システム制御部１６は、図８のステップＳ４０１で受信した電池情報に含まれる充電前の残存電池容量［Ａｈ］と、整流器２２から出力された電流[Ａ]と、充電時間[ｈ]とに基づいて、充電終了後の残存電池容量[Ａｈ]を推定する。また、システム制御部１６は、図８のステップＳ４０１で受信した電池情報に含まれる充電前の充電回数に１を加算して、充電後の充電回数を演算する。さらに、システム制御部１６は、ステップＳ５０３で充電が終了したと判定されたときの日時を、生成する電池情報の充電終了日時とする。
【００４０】
ステップＳ５０５では、充電装置１のシステム制御部１６は、図６のような充電情報画面の表示画面情報を生成する。ステップＳ５０６では、充電装置１のシステム制御部１６は、ステップＳ５０４で生成した充電終了後の電池情報と、ステップＳ５０５で生成した充電情報画面の表示画面情報とを、第１通信制御部１４を介して電子機器２へ送信する。電子機器２は、図５のステップＳ２０３の処理により、ステップＳ５０６で送信された電池情報と表示画面情報とを受信する。
【００４１】
ステップＳ５０５で生成される表示画面情報について説明する。充電装置表示３１を表示させるための情報には、たとえばシステム制御部１６のＲＯＭ等に記憶された充電装置１を識別するための情報などが用いられる。充電終了日時３２を表示させるための情報には、ステップＳ５０３で充電が終了したと判定された日時が用いられる。充電時間表示３３には、図９の処理が開始してからステップＳ５０３で受電が終了したと判定されるまでに経過した時間が用いられる。充電回数表示３４には、ステップＳ５０４で生成された充電後の電池情報に含まれる充電回数に関する情報が用いられる。電池容量表示３５には、ステップＳ５０４で生成された充電後の電池情報に含まれる残存電池容量に関する情報が用いられる。
【００４２】
図１０は、図８のステップＳ４０３でその処理を開始するアップグレード処理に関するフローチャートである。ステップＳ６００では、充電装置１のシステム制御部１６は、図８のステップＳ４０１で受信した装置プロファイルにバージョン情報が含まれているソフトウェアに関して、情報管理装置３の更新データベースから更新データをダウンロードする。
【００４３】
ステップＳ６０１では、充電装置１のシステム制御部１６は、電子機器２にインストールされているソフトウェアが最新か否かを判定する。たとえば、ステップＳ６００でダウンロードすべき更新データが存在しなかった場合はソフトウェアが最新であると判定する。ステップＳ６０１が肯定判定された場合は図１０の処理を終了し、否定判定された場合はステップＳ６０２に進む。
【００４４】
ステップＳ６０２では、充電装置１のシステム制御部１６は、ステップＳ６００でダウンロードした更新データに基づいて、ソフトウェアの更新画面の表示画面情報を生成する。ステップＳ６０３では、充電装置１のシステム制御部１６は、第１通信制御部１４を介して、ステップＳ６０２で生成した更新画面の表示画面情報を電子機器２へ送信する。
【００４５】
図１１は、ステップＳ６０３で送信された表示画面情報に基づいて電子機器２が表示部２７に表示する更新画面の一例を示した図である。図１１に例示された更新画面は、更新データに含まれるソフトウェアの更新内容に関するテキストデータと、ソフトウェアの更新を行うか否かをユーザに選択させる選択スイッチ４２および４３が表示されている。ユーザが操作部２８を用いて選択スイッチ４２，４３を選択した場合は、通信制御部２５を介してその選択に関する制御信号が充電装置１に送信される。
【００４６】
ステップＳ６０４では、充電装置１のシステム制御部１６は、電子機器２のソフトウェアを更新するか否かを判定する。たとえば、ユーザが電子機器２の表示部２７に表示された選択スイッチ４２および４３のいずれを選択したかに基づいて、ソフトウェアを更新するか否かを判定する。ステップＳ６０４が肯定判定された場合はステップＳ６０５に進み、否定判定された場合は図１０の処理を終了する。ステップＳ６０５では、充電装置１のシステム制御部１６は、第１通信制御部１４を介して、ステップＳ６００でダウンロードした更新データを電子機器へ送信する。
【００４７】
ステップＳ６０５で送信された更新データは、電子機器２の通信制御部２５が受信し、記憶部２４に記憶される。システム制御部２６は、記憶部２４に記憶された更新データに基づいて、電子機器２にインストールされたソフトウェアを更新する。
【００４８】
以上で説明した実施の形態によれば、以下の作用効果が得られる。
本発明による充電装置１は、表示部２７を有する電子機器２と接続され、電子機器２に内蔵された二次電池２０を非接触充電する。充電装置１は、電子機器２との間で通信して、電子機器２から装置プロファイルを受信する第１通信制御部１４を備える。また、充電装置１は、情報管理装置３と通信して、情報管理装置３の更新データベース３０から装置プロファイルにバージョン情報が含まれるソフトウェアに関する更新データをダウンロードする第２通信制御部１５を備える。充電装置１のシステム制御部１６は、情報管理装置３の更新データベース３０からダウンロードした更新データに基づいて、電子機器２の表示部２７に図１１のような更新画面を表示するための表示画面情報を生成する（図１０のステップＳ６０２）。そして、充電装置１のシステム制御部１６は、第１通信制御部１４を介して、更新画面の表示画面情報を電子機器２へ送信する。充電装置１は、このような構成を有することにより、充電装置１による電子機器２の充電中に充電装置１から電子機器２に向けてユーザにとって有用な情報を提供することができる。
【００４９】
充電装置１は、図８のステップＳ４０２にて電子機器２の充電を開始した後に、ステップＳ４０３にて電子機器２のソフトウェアを更新する更新処理を開始する。そして、第２通信制御部１５は電子機器２の二次電池２０の充電中に更新データを更新データベース３０からダウンロードし（図１０のステップＳ６００）、システム制御部１６は電子機器２の二次電池２０の充電中に、ダウンロードした更新データに基づいて表示画面情報を生成し（図１０のステップＳ６０２）、第１通信制御部１４は電子機器２の二次電池２０の充電中に更新画面の表示画面情報を電子機器２へ送信する（図１０のステップＳ６０３）。ソフトウェアの更新処理は、その内容によっては長時間を要することがある。一方で、電子機器２の二次電池２０の充電は、さらに長時間を要することが多い。このように、充電中に電子機器２にインストールされているソフトウェアを更新することにより、二次電池２０の電池容量が不足してソフトウェアの更新が中断されてしまうことがなく安全性が高まるとともに、ソフトウェアの更新と充電とを別々に行うことにより生じるユーザの時間の浪費を低減することができる。
【００５０】
以上で説明した実施の形態は、以下のように変形して実施できる。
（変形例１）上記の実施の形態では、非接触方式の充電を電磁誘導方式としたが、電界結合方式や磁界共鳴方式などの他の方式にも本発明は適用できる。
（変形例２）情報管理装置３に記憶されるデータベースは、更新データベース３０だけに限定しない。たとえば、電子機器２のユーザ向けの広告データが含まれる広告データベースなどを含んでもよい。
（変形例３）充電情報画面の表示形態は図６のものだけに限定しない。また、更新画面の表示形態は図１１のものだけに限定しない。たとえば、充電情報画面には、電子機器２の二次電池２０の劣化状態などを表示することにしてもよい。
（変形例４）電気通信回線４には、高速電力線通信を行うための回線網を含む。
（変形例５）図８では、ステップＳ４０３でソフトウェアの更新処理を開始する前に、ステップＳ４０２で充電処理を開始している。更新対象となるソフトウェアによっては充電処理の前に更新処理を実行することにしてもよい。たとえば、充電処理についてのファームウェア（制御プログラム）に関する更新処理を、ステップＳ４０２で充電処理の処理開始前に実行することにしてもよい。
【００５１】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００５２】
１  充電装置
２  電子機器
３  情報管理装置
１１  送電コイル
１４  第１通信制御部
１５  第２通信制御部
１６  システム制御部
２０  二次電池
２１  受電コイル
２３  充電制御部
２４  記憶部
２５  通信制御部
２６  システム制御部
２７  表示部
２８  操作部
【図１】
2013172465.tif 000003
【図２】
2013172465.tif 000004
【図３】
2013172465.tif 000005
【図４】
2013172465.tif 000006
【図５】
2013172465.tif 000007
【図６】
2013172465.tif 000008
【図７】
2013172465.tif 000009
【図８】
2013172465.tif 000010
【図９】
2013172465.tif 000011
【図１０】
2013172465.tif 000012
【図１１】
2013172465.tif 000013